(57)【要約】【課題】キャビネット間のずれを防止して両面テープの接合強度の低下を防止する。【解決手段】両面テープ５で接着される、一方向に長い第１キャビネット３と第２キャビネット４とを有する携帯電話機１において、第１キャビネット３の周縁に複数並べて設けた凸条１０を他方に設けた第１及び第２凹溝１１，１２に嵌め込むことで、幅方向への変形を規制すると共に、それぞれの凸条１０の長手方向端部が、対応する第１及び第２凹溝１１，１２の長手方向端部に当接することで、長手方向への変形も規制する。【選択図】図１
2014216499.tif 000002
【特許請求の範囲】
【請求項１】
外部接続用コネクタを有する電子機器において、
上記外部接続用コネクタのコネクタ本体の一端に形成した挿入口を露出させる開口を有する筐体と、
上記コネクタ本体の他端側から延びる信号端子が半田付けにより接続される基板と、
上記コネクタ本体の他端側に設けられ、上記基板に当接するように該基板側へ延びる脚部とを備えている
ことを特徴とする電子機器。
【請求項２】
請求項１に記載の電子機器において、
上記基板は、フレキシブル基板であり、該フレキシブル基板の硬質部に上記脚部の先端が当接するとともに、該脚部から延びる金属端子が上記硬質部を貫通し、該金属端子の貫通した先端が該硬質部に固定されている
ように構成されている
ことを特徴とする電子機器。
【請求項３】
請求項２に記載の電子機器において、
上記脚部は、上記信号端子を両側から挟み込むように配置されている
ことを特徴とする電子機器。
【請求項４】
請求項２又は３に記載の電子機器において、
上記脚部先端が当接する上記フレキシブル基板の反対側は、該フレキシブル基板が変形可能な空間が設けられている
ことを特徴とする電子機器。
【請求項５】
請求項１から４までのいずれか１つに記載の電子機器において、
上記コネクタ本体は、上記筐体の開口及び該開口の奥側に固定されたホルダに嵌合によって固定され、
上記コネクタ本体外周には、上記開口内面に当接する防水パッキンが嵌められ、
上記防水パッキンは、上記開口内面の奥側に当接している
ことを特徴とする電子機器。
【発明の詳細な説明】
【技術分野】
【０００１】
本発明は、両面テープで接着される第１キャビネットと第２キャビネットとを有する携帯端末に関するものである。
【背景技術】
【０００２】
従来より、筐体に両面テープで一体に貼り付けられる外装パネルを備える携帯端末は知られている（例えば、特許文献１参照）。この携帯端末では、装置サイズを大きくすることなく、アウトラインの丸みを大きくするようにしている。
【０００３】
また、近年、図６に示すように、ネジを使わずに正面側筐体１０３と背面側筐体１０４とを両面テープで固定して丸みを帯びた断面を保ちながら、内蔵する充電池などをできるだけ大きくする携帯端末１０１が知られている。
【先行技術文献】
【特許文献】
【０００４】
【特許文献１】特開２０１２−１３８７２１号公報
【発明の概要】
【発明が解決しようとする課題】
【０００５】
しかしながら、上記特許文献１のような携帯端末では、外装パネルと筐体とがネジ等で固定されていないので、両面テープの柔軟性から、図７（ａ）に示す正面側筐体１０３と背面側筐体１０４とが、図７（ｂ）に示すように、特にその長手方向に撓むように変形すると、両者間でずれが発生し、両面テープ１０５の接合強度を落とすという問題がある。
【０００６】
図６に示す長手方向に延びる凸条１１１と、この凸条１１１が嵌まり込む凹溝１１２を設けたものでは、凹溝１１２の幅方向側壁により図６（ｃ）において矢印で示す幅方向外側への変形を規制することができても、依然として図６（ｂ）において矢印で示す長手方向の変形が規制されず、両面テープの接合強度が低下するという問題がある。
【０００７】
本発明は、かかる点に鑑みてなされたものであり、その目的とするところは、キャビネット間のずれを防止して両面テープの接合強度の低下を防止することにある。
【課題を解決するための手段】
【０００８】
上記の目的を達成するために、この発明では、長手方向に延びる凸条の長手方向両端と凹溝の長手方向両端とで長手方向への変形を防止するようにした。
【０００９】
具体的には、第１の発明では、両面テープで接着される第１キャビネットと第２キャビネットとを有する携帯端末を前提とする。
【００１０】
そして、上記第１キャビネット及び第２キャビネットは、一方向に長い形状を有し、該第１キャビネット及び第２キャビネットのいずれか一方の周縁に長手方向に延びる複数の凸条を他方に設けた長手方向に延びる複数の凹溝に嵌め込むことで、幅方向への変形が規制されると共に、
それぞれの上記凸条の長手方向端部が、対応する上記凹溝の長手方向端部に当接することで、長手方向への変形も規制されている。
【００１１】
上記の構成によると、携帯端末に対して長手方向に撓むように曲げ又はねじり荷重が加わっても、凸条の長手方向端部が嵌め込まれた凹溝の長手方向端部に当接するので、長手方向への変形が規制される。このため、第１キャビネットと第２キャビネットとを接着する両面テープの接合強度が低下するのが効果的に防止される。
【発明の効果】
【００１２】
以上説明したように、本発明によれば、第１キャビネット及び第２キャビネットのいずれか一方の周縁に長手方向に延びる複数の凸条を他方に設けた長手方向に延びる複数の凹溝に嵌め込むことにより、キャビネット間のずれを防止して両面テープの接合強度の低下を防止することができる。
【図面の簡単な説明】
【００１３】
【図１】本発明の実施形態に係る携帯電話機を示し、（ａ）が背面図であり、（ｂ）が（ａ）のIb−Ib線断面図であり、（ｃ）が（ａ）のIc−Ic線断面図及びその一部拡大断面図である。
【図２】本発明の実施形態に係る携帯電話機を示し、（ａ）が正面側から見た斜視図であり、（ｂ）が背面側から見た斜視図である。
【図３】携帯電話機を示す分解斜視図である。
【図４】（ａ）がカバー部を示す正面図であり、（ｂ）が周縁部材を示す斜視図である。
【図５】伸縮式アンテナ側の係止する構造を示し、（ａ）が背面図であり、（ｂ）が（ａ）のVb−Vb線断面図であり、（ｃ）が（ａ）のVc−Vc線断面図及びその一部拡大断面図である。
【図６】従来技術に係る携帯電話機を示し、（ａ）が背面図であり、（ｂ）が（ａ）のVIb−VIb線断面図であり、（ｃ）が（ａ）のVIc−VIc線断面図である。
【図７】従来技術にかかる携帯電話機における正面側キャビネット及び背面側キャビネットの変形の様子を示す断面図である。
【発明を実施するための形態】
【００１４】
以下、本発明の実施形態を図面に基づいて説明する。
【００１５】
図１〜図３は、本発明の実施形態に係る携帯端末としての携帯電話機１を示し、この携帯電話機１は、例えば正面側に液晶表示部２が貼り付けられる第１キャビネット３を有し、この第１キャビネット３が、両面テープ５により第２キャビネット４に接着されている。図５（ｃ）に示すように、第１キャビネット３と第２キャビネット４との間には、充電池６、メイン基板７等が内蔵されている。第１キャビネット３及び第２キャビネット４は、いずれも上下方向に長い略矩形状の樹脂成形品よりなる。
【００１６】
図４に示すように、本実施形態の第２キャビネット４は、例えば図４（ａ）に示す外観を形成する略矩形板状のカバー部４ａと、図４（ｂ）に示す両面テープ５が貼り付けられる矩形枠状の第２平坦面４ｃを有する周縁部材４ｂとが別々の材料で構成されている。例えば、樹脂成形品よりなるカバー部４ａを成形後、このカバー部４ａを金型に載置して周縁部材４ｂをインサート成形すればよい。なお、別々に成形した周縁部材４ｂをカバー部４ａに接着してもよい。
【００１７】
図５に示すように、携帯電話機１は、長手方向に伸縮及び収納可能な、棒状部材としての伸縮式アンテナ８を備えている。伸縮式アンテナ８は、金属製のアンテナ素子８ａと、その先端の外観部８ｂとを備え、アンテナ素子８ａ部分は、外径の異なる複数のアンテナ素子が連結されて成り立っている。第１キャビネット３には、長手方向に沿って伸縮式アンテナ８が収容される、棒状部材収容部としてのアンテナ収容部９が形成されている。このアンテナ収容部９は、携帯電話機１の幅方向外側へ開口しており、この開口部は、第１キャビネット３の成形時に金型により一体成形されている。アンテナ収容部９部分の金型の抜き方向は、携帯電話機１の幅方向となっている。
【００１８】
一方、図４（ｂ）に示すように、第２キャビネット４の周縁部材４ｂには、正面側へ突出する複数の凸条１０が形成されている。この凸条１０は、上記長手方向に長い略矩形板状であり、長手方向に間隔を空けて幅方向両側のいずれにも複数形成されている。
【００１９】
図１に示すように、アンテナ収容部９と反対側の第１キャビネット３の周縁には、複数の凸条１０に対応させて複数の第１凹溝１１が形成されている。この第１凹溝１１は、略矩形板状の凸条１０が嵌め込まれるように、凸条１０よりも若干大きい寸法で、第１キャビネット３の成形時に形成されている。
【００２０】
また図５に示すように、アンテナ収容部９では、この部分での金型の抜き方向が幅方向であるため、幅方向反対側の第１凹溝１１のように、金型を用いた一体成形時では、成形することができない。このため、本実施形態では、複数の凸条１０に対応する複数の第２凹溝１２は、切削、研削などの機械加工で形成されている。
【００２１】
そして、複数の第２凹溝１２間には、爪部材１４を嵌合させるための複数の第３凹溝１３が形成されている。これら第３凹溝１３も、切削、研削などの機械加工で形成されている。図５（ｃ）に拡大して示すように、爪部材１４は、各第３凹溝１３にそれぞれ圧入又は接着されており、例えばその幅方向外側に凹状の被係合部１４ａが形成された樹脂成形品よりなる。これに対応させて第２キャビネット４の内面に複数の突起４ｄが幅方向へ水平に突出するように形成されている。各爪部材１４が、これら突起４ｄにそれぞれ係合することで、第２キャビネット４が厚さ方向に広がるのを防止している。なお、図示しないが、アンテナ収容部９がない側の側面では、周縁部材４ｂに一体形成した係合爪と、第１キャビネット３に設けた係合爪とが係合することで、厚さ方向の広がりが防止されている。
【００２２】
このように、第２キャビネット４の周縁に設けた凸条１０を第１キャビネット３に設けた第１及び第２凹溝１１，１２に嵌め込むことで、幅方向への変形が規制されるだけでなく、それぞれの凸条１０の長手方向端部が、対応する第１及び第２凹溝１１，１２の長手方向端部に当接することで、長手方向への変形も規制される。
【００２３】
このため、携帯電話機１に対して長手方向に撓むように曲げ又はねじり荷重が加わっても長手方向への変形が規制されるので、第１キャビネット３と第２キャビネット４とを接着する両面テープ５の接合強度が低下するのが効果的に防止される。
【００２４】
また、第２凹溝１２をアンテナ収容部９の壁面に機械加工により形成したので、伸縮式アンテナ８を収容するために幅方向に開口するアンテナ収容部９を有する場合であっても、第２凹溝１２に凸条１０を係合させることで、長手方向への変形を効果的に防止できる。
【００２５】
さらに第３凹溝１３に第２キャビネット４の厚さ方向への抜けを防止する爪部材１４を嵌め込んで、突起４ｄに係合させるようにしたので、アンテナ収容部９がある場合でも、厚さ方向への変形を効果的に防止することができる。このため、ユーザーが爪の先を第１キャビネット３と第２キャビネット４との間に差し込んで押し広げることができないようにしている。
【００２６】
また、爪部材１４と凸条１０とを交互に長手方向に並べたことにより、第２キャビネット４の幅方向への広がりと、厚さ方向への広がりとを偏りなく確実に防止することができる。
【００２７】
さらに、伸縮式アンテナ８を有する場合には、長さを確保するためにアンテナ収容部９が長くなるが、機械加工による第２及び第３凹溝１２，１３を利用することで、長手方向の変形や厚さ方向の変形を効果的に防止することができる。
【００２８】
したがって、本実施形態にかかる携帯電話機１によると、第１キャビネット３と第２キャビネット４との間のずれを防止して両面テープ５の接合強度の低下を防止することができる。
【００２９】
（その他の実施形態）
本発明は、上記実施形態について、以下のような構成としてもよい。
【００３０】
すなわち、上記実施形態では、第２キャビネット４に設けた凸条１０を第１キャビネット３に設けた第１及び第２凹溝１１，１２に嵌め込むようにしたが、逆に第１キャビネット３に設けた凸条を第２キャビネット４に設けた凹溝に嵌め込むようにしてもよい。
【００３１】
上記実施形態では、棒状部材を伸縮式アンテナ８としたがこれに限定されず、携帯電話機１の長手方向に長い部材であって、第１キャビネット３又は第２キャビネット４に幅方向に開口する棒状部材収容部が形成された場合にも、本発明は適用可能である。
【００３２】
上記実施形態では、第２及び第３凹溝１２，１３は、機械加工により設けたが、第１キャビネット３の成形後にレーザ加工など、他の加工方法で設けてもよい。
【００３３】
上記実施形態では、携帯端末は、携帯電話機１としたが、ＰＨＳ（Personal Handy-phone System ）、ＰＤＡ(Personal Digital Assistant)、スマートフォン、パソコン、モバイルツール、電子辞書、電卓、ゲーム機等であってもよい。
【００３４】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３５】
１      携帯電話機（携帯端末）
２      液晶表示部
３      第１キャビネット
４      第２キャビネット
４ａ    カバー部
４ｂ    周縁部材
４ｃ    第２平坦面
４ｄ    突起
５      両面テープ
６      充電池
７      メイン基板
８      伸縮式アンテナ（棒状部材）
８ａ    アンテナ素子
８ｂ    外観部
９      アンテナ収容部（棒状部材収容部）
１０      凸条
１１      第１凹溝
１２      第２凹溝
１３      第３凹溝
１４      爪部材
１４ａ    被係合部
【図１】
2014216499.tif 000003
【図２】
2014216499.tif 000004
【図３】
2014216499.tif 000005
【図４】
2014216499.tif 000006
【図５】
2014216499.tif 000007
【図６】
2014216499.tif 000008
【図７】
2014216499.tif 000009